(57)【特許請求の範囲】
【請求項１】
リール本体に挿着された駆動軸に連結されるハンドルアームと、
当該ハンドルアームの端部に固定された支軸に回転可能に取り付くハンドルつまみとからなる魚釣用リールのハンドルに於て、
上記ハンドルつまみを、支軸が挿通する筒状部と当該筒状部より外方に向けて膨出する握り部とで構成して、支軸と直交する握り部の断面形状を円形に成形し、
当該断面形状の最大径部を境に握り部の反ハンドルアーム側を、ハンドルアーム側に比し支軸の軸方向へ大きく成形すると共に、握り部に、前記支軸が挿通する貫通孔を中心に複数の抜き孔を当該貫通孔に沿って形成したことを特徴とする魚釣用リールのハンドル。
【発明の詳細な説明】
【０００１】
【発明の属する技術分野】
本発明は、釣糸の巻取り操作を行う魚釣用リールのハンドルに関する。
【０００２】
【従来の技術】
従来周知のように、魚釣用リールに於ける釣糸の巻取り操作は、釣糸の巻取り駆動機構に連結されたハンドルによって行われている。
そして、従来、この種のハンドルは、ハンドルアームとその端部の支軸に回転可能に取り付くハンドルつまみとで構成されており、ハンドルアームは、リール本体に挿着された駆動軸（ハンドル軸）に固着されている。
【０００３】
ところで、実開昭５６−６８４７３号公報，実開平３−７４２６６号公報及び特開平１０−６６４８８号公報等に開示されるように、一般にハンドルつまみは、図５乃至図７の如くＴ字形状や略鼓状或いは略直方形状のものが知られており、巻取り操作時にこれらハンドルつまみ１，３，５，７を指で摘んでハンドルアーム９，１１，１３を回転操作している。
【０００４】
【発明が解決しようとする課題】
しかし乍ら、Ｔ字形状や略直方形状のハンドルつまみ１，３，７は、指で摘んで操作する際にそれらの形状から摘む方向が決まってしまい、摘み方によってはこれらを再度摘み直さなければならない場合も生じ、咄嗟の素早い対応が行えない欠点が指摘されていた。
【０００５】
また、略鼓状のハンドルつまみ５は、指で摘んだ際にＴ字形状のハンドルつまみ１，３に比し力が入り難く、また、手のひらをハンドルつまみ５に密着させてこれを保持すると、手首が固定されて素早い操作ができなくなってしまう等の課題が残されていた。
本発明は斯かる実情に鑑み案出されたもので、握持性に優れ、迅速な巻取り操作が可能な魚釣用リールのハンドルを提供することを目的とする。
【０００６】
【課題を解決するための手段】
斯かる目的を達成するため、請求項１に係る発明は、リール本体に挿着された駆動軸に連結されるハンドルアームと、当該ハンドルアームの端部に固定された支軸に回転可能に取り付くハンドルつまみとからなる魚釣用リールのハンドルに於て、上記ハンドルつまみを、支軸が挿通する筒状部と当該筒状部より外方に向けて膨出する握り部とで構成して、支軸と直交する握り部の断面形状を円形に成形し、当該断面形状の最大径部を境に握り部の反ハンドルアーム側を、ハンドルアーム側に比し支軸の軸方向へ大きく成形すると共に、握り部に、前記支軸が挿通する貫通孔を中心に複数の抜き孔を当該貫通孔に沿って形成したことを特徴とする。
【０００７】
（作用）
請求項１に係る発明によれば、ハンドルの巻取り操作で釣糸がスプールに巻回されるが、握り部は支軸と直交するその断面形状が円形とされているため、ハンドルつまみを摘むに当たってどの方向からでも良好に摘めることとなる。
そして、握り部は、断面形状の最大径部を境に握り部の反ハンドルアーム側がハンドルアーム側に比し支軸の軸方向へ大きく成形されているため、ハンドルつまみを摘んだ際に反ハンドルアーム側の握り部が手のひらに密着し、巻取り操作時にハンドルつまみに力が入り易くなって迅速な巻取り操作や強負荷巻取り操作が容易に行える。
また、握り部に複数の抜き孔を貫通孔に沿って形成したことで、ハンドルつまみが軽くなって魚釣用リール全体の軽量化が可能となる。
【０００８】
【発明の実施の形態】
以下、本発明の実施形態を図面に基づき詳細に説明する。
図１は請求項１の一実施形態に係るハンドルを装着したスピニングリールを示し、図中、１５はリール本体１７に回転可能に装着されたロータで、ロータ１５の基部には一対のロータ腕部１９が一体成形されている。
【０００９】
そして、一方のロータ腕部１９の先端に、ラインローラ２１を支持するベールアーム２３とラインスライダ２５からなるベール支持部材が釣糸巻取位置側と釣糸放出位置側へ反転自在に取り付き、また、図示しない他方のロータ腕部には、ベールホルダが同じく釣糸巻取位置側と釣糸放出位置側へ反転自在に取り付けられており、ベールホルダとラインスライダ２５との間に半環状のベール２７が装着されている。
【００１０】
また、図中、２９は上記ロータ１５と同軸上に装着されたスプールで、当該スプール２９はリール本体１７の前後方向へ往復動可能に取り付くスプール軸（図示せず）に支持されている。
そして、従来と同様、ベール２７を釣糸巻取位置側へ倒してハンドル３１の操作でロータ１５を釣糸巻取り方向へ回転させると、これに連動して前後方向へ往復動するスプール２９に釣糸が巻回され、また、ベール２７を釣糸放出位置側へ反転させて仕掛けを投擲すると、スプール２９に巻回された釣糸がスパイラル状に繰り出されるようになっている。
【００１１】
而して、上記ハンドル３１は、図１及び図２に示すようにハンドルアーム３３と、当該ハンドルアーム３３の端部に固着された支軸３５に回転可能に取り付く樹脂または木製のハンドルつまみ３７とで構成されており、ハンドルアーム３３は、リール本体１７に挿着された図示しない駆動軸の端部に固着されている。
図２乃至図４に示すようにハンドルつまみ３７は、筒状部３９と当該筒状部３９より外方に向けて膨出する握り部４１とで構成されており、その中心に支軸３５が挿通する貫通孔４３が形成されている。
【００１２】
そして、貫通孔４３の内周には、支軸３５の外周に装着した軸受部材４５，４７を係止させる二つの係止部４９，５１が、筒状部３９の端部側と握り部４１の中央部分に形成されており、貫通孔４３内に挿入した支軸３５の挿入側先端部にねじ５３を螺着すると、軸受部材４５がねじ５３と係止部４９とで挟持され、そして、軸受部材４７が係止部５１と支軸３５の後端側に設けたストッパ５５とで挟持されて、ハンドルつまみ３７が支軸３５に回転可能に取り付くようになっている。
【００１３】
尚、図２中、５７は貫通孔４３の開口部を閉塞するキャップである。
そして、握り部４１は、外形形状が支軸３５の軸方向にやや押し潰された略球状に成形されて、支軸３５と直交するその断面形状が円形に成形されている。そして、当該断面形状の最大径部（図４中、Ｌ部）を境に反ハンドルアーム側握り部４１ａが、ハンドルアーム側握り部４１ｂに比し支軸３５の軸方向へ大きく（Ａ＞Ｂ）成形されており、ハンドルつまみ３７を指で摘んだ際に、反ハンドルアーム側握り部４１ａが手のひらに密着して容易に握持保持できるようになっている。
【００１４】
また、図示するように握り部４１には、貫通孔４３を中心に８個の抜き孔５９が貫通孔４３に沿って成形されており、斯かる抜き孔５９によってハンドルつまみ３７の軽量化が図られている。
本実施形態はこのように構成されているから、ベール２７を釣糸巻取位置側へ倒してハンドル３１の操作でロータ１５を釣糸巻取り方向へ回転させれば、これに連動して前後方向へ往復動するスプール２９に釣糸が巻回されるが、握り部４１は外形形状が略球状に成形されて、支軸３５と直交するその断面形状が円形とされているため、ハンドルつまみ３７を摘むに当たってどの方向からでも良好に摘めることとなる。
【００１５】
而も、握り部４１は、支軸３５と直交するその断面形状の最大径部Ｌを境に反ハンドルアーム側握り部４１ａが、ハンドルアーム側握り部４１ｂに比し支軸３５の軸方向へ大きく成形されているため、ハンドルつまみ３７を摘んだ際に反ハンドルアーム側握り部４１ａが手のひらに密着することとなる。
このように本実施形態によれば、ハンドルつまみ３７をどの方向からでも良好に摘めるため、従来に比し咄嗟に素早い対応が行えると共に、ハンドルつまみ３７を摘んだ際に反ハンドルアーム側握り部４１ａが手のひらに密着するため、巻取り操作時にハンドルつまみ３７に力が入り易くなって、迅速な巻取り操作や強負荷巻取り操作が容易に行えることとなった。
【００１６】
また、本実施形態によれば、握り部４１に複数の抜き孔５９を設けてハンドルつまみ３７の軽量化を図っているため、スピニングリール６１全体の重量増を抑えることが可能である。
尚、上記実施形態は、スピニングリールのハンドルに本発明を適用したものであるが、本発明は両軸受型リールを始めとするその他の魚釣用リールのハンドルに適用できることは勿論である。
【００１７】
【発明の効果】
以上述べたように、請求項１に係る魚釣用リールのハンドルによれば、ハンドルつまみをどの方向からでも良好に摘めるため、従来に比し咄嗟に素早い対応が行えると共に、ハンドルつまみを摘んだ際に反ハンドルアーム側の握り部が手のひらに密着するため、巻取り操作時にハンドルつまみに力が入り易くなって、迅速な巻取り操作や強負荷巻取り操作が容易に行えることとなった。
また、握り部に複数の抜き孔を貫通孔に沿って形成したことで、ハンドルつまみが軽くなって魚釣用リール全体の軽量化が図れる利点を有する。
【図面の簡単な説明】
【図１】  請求項１の一実施形態に係るハンドルを装着したスピニングリールの正面図である。
【図２】  図１に示すハンドルのハンドルアームとハンドルつまみの断面図である。
【図３】  図２のIII−III線断面図である。
【図４】  図１に示すハンドルのハンドルつまみの側面図である。
【図５】  従来の魚釣用リールの斜視図である。
【図６】  従来の魚釣用リールの斜視図である。
【図７】  従来の魚釣用リールに装着されるハンドルの斜視図である。
【符号の説明】
１７  リール本体
２９  スプール
３１  ハンドル
３３  ハンドルアーム
３５  支軸
３７  ハンドルつまみ
３９  筒状部
４１  握り部
４３  貫通孔
５９  抜き孔
６１  スピニングリール
【図１】
0003673140.tif 000002
【図２】
0003673140.tif 000003
【図３】
0003673140.tif 000004
【図４】
0003673140.tif 000005
【図５】
0003673140.tif 000006
【図６】
0003673140.tif 000007
【図７】
0003673140.tif 000008